【手続補正書】
【提出日】平成28年3月11日(2016.3.11)
【手続補正１】
【補正対象書類名】特許請求の範囲
【補正対象項目名】全文
【補正方法】変更
【補正の内容】
【特許請求の範囲】
【請求項１】
コンピューティングシステムが、キャプチャされた周囲の音データに基づいて波形フィンガープリントを生成するステップと、
前記コンピューティングシステムが、前記コンピューティングシステムの自己決定済み位置を計算するステップと、
前記コンピューティングシステムが、生成された前記波形フィンガープリントおよび前記自己決定済み位置をサーバに送信するステップと、
前記コンピューティングシステムが、前記コンピューティングシステムの１または複数のデバイス設定を調整する命令を前記サーバから受信するステップであって、前記命令は、生成された前記波形フィンガープリントに一致する１または複数の音フィンガープリントを特定し、前記コンピューティングシステムの自己決定済み位置の精度を向上させるように、特定された前記音フィンガープリントのうちの１または複数の音フィンガープリントのメタデータを相関させることに少なくとも部分的に基づく、ステップと、
前記コンピューティングシステムが、受信した前記命令に応じて前記コンピューティングシステムの１または複数のデバイス設定を調整するステップと、を備える方法。
【請求項２】
前記デバイス設定を調整するステップは、前記コンピューティングシステムが、向上した精度の前記自己決定済み位置に基づいて、前記コンピューティングシステムの呼出音量を調整することを含む、請求項１に記載の方法。
【請求項３】
前記デバイス設定を調整するステップは、前記コンピューティングシステムが、向上した精度の前記自己決定済み位置に基づいて、振動モードを有効化することを含む、請求項１に記載の方法。
【請求項４】
前記メタデータは、前記自己決定済み位置を特定の現場または地理的位置に相関させる情報を含む、請求項１に記載の方法。
【請求項５】
前記デバイス設定を調整するステップは、前記コンピューティングシステムが前記自己決定済み位置に存在している間に発生する、請求項１に記載の方法。
【請求項６】
前記自己決定済み位置を計算するステップは、前記コンピューティングシステムの位置
データまたはソーシャルネットワーク上のアクションに基づく、請求項１に記載の方法。
【請求項７】
１または複数のコンピューティングシステムが、クライアントデバイスから波形フィンガープリントおよびクライアントが決定したクライアント決定位置を受信するステップであって、前記波形フィンガープリントは、前記クライアントデバイスがキャプチャした周囲の音データに基づいて生成されたものである、ステップと、
１または複数のコンピューティングシステムが、受信した前記波形フィンガープリントを、記憶済み波形フィンガープリントのデータベースと比較するステップであって、該記憶済み波形フィンガープリントのそれぞれがオブジェクトデータベース内のオブジェクトに関連付けられている、前記ステップと、
１または複数のコンピューティングシステムが、前記波形フィンガープリントのデータベースから１または複数の一致するフィンガープリントを見つけるステップであって、前記一致するフィンガープリントは、受信した前記波形フィンガープリントに一致するものである、ステップと、
１または複数のコンピューティングシステムが、前記クライアントデバイスの１または複数のデバイス設定を調整する１または複数の命令を送信するステップであって、前記命令は、前記フィンガープリントを一致させて、前記自己決定済み位置の精度を向上させるように、特定された前記音フィンガープリントのうちの１または複数の音フィンガープリントのメタデータを相関させることに少なくとも部分的に基づく、ステップと、を備える方法。
【請求項８】
１または複数のコンピューティングシステムが、前記クライアント決定位置の近隣における１または複数の地理的位置に関連付けられた１または複数の外部データベースを検索するステップと、
１または複数のコンピューティングシステムが、前記１または複数の一致するフィンガープリントに関連付けられた１または複数の前記オブジェクトについて一致が見つかると、前記一致が見つかった前記データベースに関連付けられた地理的位置を前記クライアント決定位置に割り当てるステップと、をさらに備え、
１または複数のデバイス設定を調整する前記１または複数の命令は、前記地理的位置にさらに基づく、請求項７に記載の方法。
【請求項９】
前記記憶済み波形フィンガープリントは、ソーシャルネットワーク上のノードによって表された、１または複数の他のユーザからのアップロードされた波形フィンガープリントを含み、方法は、
１または複数のコンピューティングシステムが、１または複数の他のノードであって、該１または複数の他のノードのアップロードされたフィンガープリントが前記受信した参照データと一致する１または複数の他のノードに関連付けられた位置情報をソーシャルグラフに照会するステップをさらに備え、
１または複数のデバイス設定を調整する前記１または複数の命令は、前記照会に応答して前記ソーシャルグラフによって返された前記位置情報にさらに基づく、請求項７に記載の方法。
【請求項１０】
位置情報は特定の地理的位置へのチェックインを含む、請求項７に記載の方法。
【請求項１１】
位置情報は特定のイベントへの出欠返信依頼を含む、請求項７に記載の方法。
【請求項１２】
前記１または複数の命令によって、前記クライアントデバイスに該クライアントデバイスの呼出音量を大きくするよう命令することが可能である、請求項７に記載の方法。
【請求項１３】
前記１または複数の命令によって、前記クライアントデバイスに該クライアントデバイ
スの呼出音量を小さくするよう命令することが可能である、請求項７に記載の方法。
【請求項１４】
前記１または複数の命令によって、前記クライアントデバイスに振動モードを有効化するよう命令することが可能である、請求項７に記載の方法。
【請求項１５】
命令を含む非一時的コンピュータ可読媒体であって、１または複数のコンピューティングシステムによって実行されると、前記命令は、
キャプチャされた周囲の音データに基づいて波形フィンガープリントを生成するステップと、
クライアントコンピューティングシステムの自己決定済み位置を計算するステップと、
生成された前記波形フィンガープリントおよび前記自己決定済み位置をサーバに送信するステップと、
前記クライアントコンピューティングシステムの１または複数のデバイス設定を調整する命令を前記サーバから受信するステップであって、前記命令は、生成された前記波形フィンガープリントに一致する１または複数の音フィンガープリントと、前記クライアントコンピューティングシステムの自己決定済み位置の精度を向上させるように、特定された前記音フィンガープリントのうちの１または複数の音フィンガープリントのメタデータを相関させることに少なくとも部分的に基づく、ステップと、
受信した前記命令に応じて前記クライアントコンピューティングシステムの１または複数のデバイス設定を調整するステップとを行わせるように構成される、媒体。
【請求項１６】
前記命令は、向上した精度の前記自己決定済み位置に基づいて、前記クライアントコンピューティングシステムの呼出音量を調整するステップを行わせるようにさらに構成される、請求項１５に記載の媒体。
【請求項１７】
前記命令は、向上した精度の前記自己決定済み位置に基づいて、振動モードを有効化することをするステップを行わせるようにさらに構成される、請求項１５に記載の媒体。
【請求項１８】
前記メタデータは、前記自己決定済み位置を特定の現場または地理的位置に相関させる情報を含む、請求項１５に記載の媒体。
【請求項１９】
前記デバイス設定を調整するステップは、前記クライアントコンピューティングデバイスが前記自己決定済み位置に存在している間に発生する、請求項１５に記載の媒体。
【請求項２０】
前記自己決定済み位置を計算するステップは、前記クライアントコンピューティングシステムの位置データまたはソーシャルネットワーク上のアクションに基づく、請求項１５に記載の媒体。